(57)【要約】      （修正有）【課題】巻尺のケースに、ユーザ所望の携帯用手段や安全用具接続用手段を、ユーザ自身で簡単且つ容易に取り付けられるようにした巻尺を提供する。【解決手段】ケース１に装着ベース２を設けて、装着ベース２に、携帯用手段や、安全用具を接続するための安全用具接続用手段を取り付けできるようにし、装着ベース２は、ケース１に内装された回転ドラムの回転面に対向する少なくとも一側のケース外壁３、乃至、測定用テープの出入り口１６を形成するケース周面に設けるようにする。【選択図】図１
2014153126.tif 000002
【特許請求の範囲】
【請求項１】
ケースに、携帯用手段や、安全用具を接続するための安全用具接続用手段を取り付け可能な装着ベースを設けたことを特徴とする巻尺。
【請求項２】
上記装着ベースは、ケースに内装された回転ドラムの回転面に対向する少なくとも一側のケース外壁、乃至、測定用テープの出入り口を形成するケース周面に設けられていることを特徴とする請求項１に記載の巻尺。
【請求項３】
上記携帯用手段が、少なくとも作業者のベルトに装着可能に構成された巻尺用ベルトクリップであることを特徴とする請求項１に記載の巻尺。
【請求項４】
上記巻尺用ベルトクリップが、ベース体と、このベース体に支持され少なくともケースとの間に前記ベルトが入る空間を形成するクリップ形態と外部のフック部材に係着する係着具形態に変化できる可動クリップ体からなり、少なくともクリップ形態にしているときにはベルトクリップに有する保持手段により該クリップ形態に保持され、また保持手段を解除することによって係着具形態に変化させることができるように構成したことを特徴とする請求項３に記載の巻尺。
【請求項５】
上記携帯用手段が、少なくとも作業者のベルトに装着可能に構成された巻尺用ホルダの巻尺側に装着する係着部材であることを特徴とする請求項１に記載の巻尺。
【請求項６】
上記安全用具接続用手段が、少なくとも落下防止用の安全ロープと接続可能に構成されているものであることを特徴とする請求項１に記載の巻尺。
【発明の詳細な説明】
【技術分野】
【０００１】
本発明は、巻尺のケースに、ユーザ所望の携帯用手段や安全用具接続用手段を装着できるようにした巻尺に関する。
【背景技術】
【０００２】
従来、巻尺のケースにはベルトクリップが設けられており、このベルトクリップは、図９に示すように、ヘアピン状に形成したプレート体１８のプレート間に作業者が装着するベルト１９を挿嵌できるようになっていて、例えば、測定作業中に巻尺を一時保持する時や移動のため携帯する際は、プレート体１８をベルト１９に係着することで、巻尺を作業者が装着するベルト１９に携帯できるようにしている（例えば、特許文献１参照）。
【０００３】
しかしながら、最近では手動工具や電動工具が小型軽量化されたことから、作業者のベルトにはこれらの工具を吊り下げ携帯できる複数のカラビナを設けた工具携帯具が装着されるようになって、ベルト上に、今までのように巻尺をベルトクリップで安全に係着できる場所がなくなってしまった。
【０００４】
このため、巻尺を上述の工具携帯具に携帯する場合には、ケースに設けられたハンドストラップを工具携帯具のカラビナに引掛けて吊り下げ携帯するのであるが、この携帯方法では、巻尺が必要以上に垂れ下がりケースが作業者の足に当たってしまい、また、作業者がしゃがんだときには巻尺が床面に当たってしまうことから作業者が作業に集中することができず、作業の安全に大に悪影響を及ぼす恐れがあった。
【０００５】
このことから、本出願人はベルトクリップのクリップ体をカラビナに対応できる形態に変化できるものを発明して、該クリップ体をカラビナに吊り下げることによって巻尺が必要以上に垂れ下がらないで携帯できるようにした。しかしながら、上記工具携帯具すなわち複数のカラビナを設けた工具携帯具を使用しないユーザからは、最新の巻尺にも従来のベルトクリップを設けて欲しいとの要望も少なからずあった。
【０００６】
また、巻尺を高所で使用する作業者においては、作業の安全確保のためハンドストラップに落下防止安全ロープを繋げて、万一巻尺を落としてしまったときでも落下を防止できるようにしている。しかしながら、巻尺を手に下げる目的で設けられたハンドストラップの強度を考慮すれば適切な落下防止対策ではないことから、ハンドストラップに代えて落下防止安全ロープ係着用リングを設けた巻尺も市販され始めている（例えば、特許文献２参照）。そして、本ハンドストラップにおいても、巻尺を高所で使用することがないユーザからは、ハンドストラップを残して欲しいとの要望もある。
【先行技術文献】
【特許文献】
【０００７】
【特許文献１】特開２０１１−１５８３００号公報
【特許文献２】特開２０１１−２１４９１９号公報
【発明の概要】
【発明が解決しようとする課題】
【０００８】
本発明の目的とするところは、巻尺のケースに、ユーザ所望の携帯用手段や安全用具接続用手段を、ユーザ自身で簡単且つ容易に取り付けられるようにした巻尺を提供できるようにすることにある。
【課題を解決するための手段】
【０００９】
上述した課題を解決するために、本発明に係る巻尺は、ケースに、携帯用手段や、安全用具を接続するための安全用具接続用手段を取り付け可能な装着ベースを設けたことを特徴とするものである。
【００１０】
装着ベースを設ける部位は、ケースに内装された回転ドラムの回転面に対向する少なくとも一側のケース外壁、すなわち、従来ベルトクリップが設けられる部位や、測定用テープの出入り口が形成されるケース周面における従来ハンドストラップを設けている部位が望ましい。
【００１１】
そして、装着ベースは、巻尺の形態などによって上記ケース外壁だけに設けたり、あるいは、ケース周面だけに設けたり、さらに、これらケース外壁とケース周面の両方に設ければよい。
【００１２】
勿論、携帯用手段や安全用具接続用手段の形態により、装着ベースは上述の配置部位以外のケース上に設けてもよく、また、これら携帯用手段や安全用具接続用手段以外のものに対応可能にする場合も、上述した配置部位以外の部位に装着ベースを設けてもよい。
【００１３】
そして、ケースに装着ベースを設ける場合は、公知の方法によって取り付ければよく、例えば、別部材で形成した装着ベースをケース部材にねじ固定すればよい。また、ねじを螺挿する方向も、ケース内から該ケースを介して装着ベースに螺挿したり、装着ベース外から該装着ベースを介してケースやケースに内装される回転ドラムの支持軸に設けられた雌ねじ部に螺挿してもよく、ケースの形態などに合わせて好適な螺挿方向にすればよい。
【００１４】
勿論、ねじ固定に限定されるものではなく、装着ベース部をケース成型時にケースと同素材で一体成型したり、また、別部材で形成した装着ベース部をケース成型時にケースと一体的に成型してもよく、好適な方法を用いればよい。
【００１５】
そして、携帯用手段の一例としては、少なくとも作業者のベルトに装着可能に構成された巻尺用ベルトクリップであり、この巻尺用ベルトクリップは、ヘアピン状に形成したプレート体のプレート間に作業者が装着するベルトを挿嵌できるもの（例えば、図１９に示したもの）や、本出願人発明の、ベルト本体への係着と共に、クリップ体がベルトに設けられたカラビナ（茄子環やＤフックなど）などの吊り下げ具に吊り下げられるように変化するものなどである。
【００１６】
この本出願人発明の巻尺用ベルトクリップの一例は、ベルトクリップが、装着ベース部に固定するベース体と、このベース体に支持され少なくともケースとの間（ベース体との間、乃至、装着ベース部との間にする場合もある）に前記ベルトが入る空間を形成するクリップ形態と外部のフック部材に係着する係着具形態に変化できる可動クリップ体からなっていて、少なくともクリップ形態にしているときにはベルトクリップに有する保持手段により該クリップ形態に保持され、また保持手段を解除することによって係着具形態に変化させることができるように構成したものである。上記保持手段とは、例えば、爪などの部材による機械的なロックや、可動部材（クリップ体）と支持部材（ベース体）との嵌め合い構造などによる圧接によるロックなどである。
【００１７】
他には、少なくとも作業者のベルトに装着可能に構成された巻尺用ホルダの巻尺側に装着する係着部材であり、該係着部材は、巻尺のケース外壁に該外壁面との間に空間を空けて取り付けられて、この係着部材をホルダ内に挿入することによって係着部材がホルダに備えるロック手段によってロックされ、巻尺のケースがホルダの内または外に保持されるようになっている。
【００１８】
さらに他には、少なくとも作業者のベルトに装着可能に構成された巻尺用マグネットホルダの巻尺側に装着する磁気吸着可能部材であり、該磁気吸着可能部材は、巻尺のケース外壁の外壁面にまたは該外壁面との間に空間を空けて取り付けられて、この磁気吸着可能部材（例えば、金属プレートやプレート状のマグネット）をホルダの内または外に備える上記磁気吸着可能部材に対応するマグネットや金属プレートなどに磁気吸着させることによって磁気吸着可能部材がマグネットホルダに保持され、巻尺のケースがマグネットホルダの内または外に保持されるようになっている。
【００１９】
そして、安全用具接続用手段の一例としては、少なくとも落下防止用の安全ロープと接続可能に構成されているものであり、例えば、ロープ先端に設けられているＤ環やナス環などのカラビナ類を係着可能なリング体である。勿論、安全用具接続用手段の形態によっては上記リング体以外の形態のものになり、その形態も、上記安全用具接続用手段と安全に接続可能な構成となる。
【００２０】
なお、装着ベースは、上述した携帯用手段や安全用具接続用手段の取り付けを目的とする他にも、ユーザが所望する任意のものを取り付けできるようにする場合もある。
【００２１】
また装着ベースは、金属素材の堅牢なもので形成するのが望ましいが、巻尺の形態や重量などによっては樹脂素材などを用いて形成してもよい。
【００２２】
そして、装着ベースへの携帯用手段や安全用具接続用手段の取り付けは、これら携帯用手段や安全用具接続用手段の取り付け手段に対応させ、例えば、携帯用手段や安全用具接続用手段が雄ねじによって取り付けできるものであれば、該雄ねじを螺挿する雌ねじ部を装着ベース上に適当に設ける。すなわち、装着ベースを従来の携帯用手段や安全用具接続用手段の形態（形状や固定方法など）に適応できるように構成する。なお、雄ねじをタッピングねじにした場合は、装着ベース上に設ける雌ねじ部は単に孔または穴でよい。
【００２３】
そして、上記雌ねじ部の装着ベース上への設置で、装着ベースを肉厚にする場合は、該装着ベースに孔または穴を形成し、この孔または穴に雌ねじを螺刻したり適当なナットを埋設すればよい。雄ねじがタッピングねじの場合は、該装着ベースに形成する孔または穴には雌ねじを螺刻する必要はない。
【００２４】
また、装着ベースをケース部材の厚みと同じ肉薄にする場合は、装着ベースの内部、乃至、内壁にナットを固定設置したり、あるいは装着ベースの内壁に突出部を形成してこの突出部内に雌ねじを螺刻したり適当なナットを埋設すればよい。雄ねじがタッピングねじの場合は、突出部には孔または穴を形成すればよい（雌ねじを螺刻する必要はない）。
【００２５】
また、装着ベースに対応する形態（形状や固定方法など）に携帯用手段や安全用具接続用手段を構成して、該携帯用手段や安全用具接続用手段を本装着ベース専用のものとしてもよい。すなわち、携帯用手段や安全用具接続用手段を本装着ベース専用品として新規開発する。
【発明の効果】
【００２６】
本発明の巻尺によれば、ケースの装着ベースに、ユーザが好みの携帯用手段や安全用具接続用手段をユーザ自身で簡単且つ容易に取り付けられるので、ユーザは巻尺を自分の作業形態に合わせてカスタマイズでき、これにより、作業の安全性を格段に向上させることができる。また、安全に作業できることから作業もし易くなり作業効率も向上する。
【図面の簡単な説明】
【００２７】
【図１】本発明に係る巻尺を示す斜視図。
【図２】装着ベースに携帯用手段を取り付けたものを示す斜視図。
【図３】装着ベースに安全用具接続用手段を取り付けたものを示す斜視図。
【図４】装着ベースに加え第２装着ベースを設けた巻尺を示す斜視図。
【図５】第２装着ベースに携帯用手段を取り付けたものを示す斜視図。
【図６】第２装着ベースに安全用具接続用手段を取り付けたものを示す斜視図。
【図７】２つの装着ベースにそれぞれ携帯用手段と安全用具接続用手段を取り付けたものを示す斜視図。
【図８】２つの装着ベースにそれぞれ携帯用手段と安全用具接続用手段を取り付けたものを示す斜視図。
【図９】従来の巻尺を示す斜視図。
【発明を実施するための形態】
【００２８】
以下、本発明に係る巻尺を、添付図面に示す具体例に基づいて詳細に説明すると、図１は、ケース１に装着ベース２を設けた本発明の巻尺であり、装着ベース２は、従来ベルトクリップを設けていたケース一側のケース外壁面３に配置している（図７、８参照）。図中の符号２１は、携帯用手段や安全用具接続用手段などを固定するための固定用ねじ（雄ねじ）の螺挿部（雌ねじ）である。
【００２９】
また、本実施例に示した装着ベース２は、ケース１内から該ケース１を介して固定用ねじ（図示は省略）を装着ベース２のねじ受け部（図示は省略）に螺挿してケース外壁面３に固定しているものを示している。
【００３０】
図２は、装着ベース２に携帯用手段たるベルトクリップ４を取り付けたものを示していて、本ベルトクリップ４は、出願人発明のクリップ体４１を外部のフックやカラビナに係着可能な形態に変化できるものを示していて、図２中の（ａ）図は、クリップ体４１を作業者のベルトに係着することで巻尺を携帯する形態にしているもので、図２中の（ｂ）図は、クリップ体４１を図２中の（ａ）図の矢印Ａ方向に移動して外部のフックやカラビナに係着可能な形態に変化させたものを示している。図中の符号２２は、ベルトクリップ４を装着ベース２に固定するための固定用ねじ（雄ねじ）である。
【００３１】
図３（図３中の（ａ）図）は、装着ベース２に安全用具接続用手段たるリング部材５を取り付けたものを示していて、図３中の（ｂ）図は、リング部材５のリング体５１に安全用具たる落下防止用の安全ロープ６を接続したものを示している。また、リング体５１への接続は、落下防止用の安全ロープ６の端部に備えるナス環６１によって接続される。図中の符号２２は、リング部材５を装着ベース２に固定するための固定用ねじ（雄ねじ）である。
【００３２】
図４は、装着ベース２に加えて第２装着ベース７を設けたものを示していて、第２装着ベース７は、ケース周面８の従来ハンドストラップを設けていた部位に配置している。図中の符号７１は、携帯用手段や安全用具接続用手段などを固定するための固定用ねじ（雄ねじ）の螺挿部（雌ねじ）である。
【００３３】
また、本実施例に示した第２装着ベース７は、ケース１外から該第２装着ベース７を介して固定用ねじ９をケース１のねじ受け部（図示は省略）に螺挿してケース周面８に固定しているものを示している。
【００３４】
図５は、第２装着ベースに７に携帯用手段たるハンドストラップ１０を取り付けたものを示している。ハンドストラップ１０の取り付けは、ハンドストラップ１０の基部に設けた固定用ねじ１１を第２装着ベース７の螺挿部７１に螺挿して固定している。
【００３５】
図６は、（図６中の（ａ）図）は、第２装着ベース７に安全用具接続用手段たるリング１２を取り付けたものを示していて、図６中の（ｂ）図は、リング１２に安全用具たる落下防止用の安全ロープ６を接続したものを示している。また、リング１２への接続は、落下防止用の安全ロープ６の端部に備えるナス環６１によって接続される。リング１２の取り付けは、リング１２の基部に設けた固定用ねじ１３を第２装着ベース７の螺挿部７１に螺挿して固定している。
【００３６】
図７、図８は、２つの装着ベースにそれぞれ携帯用手段と安全用具接続用手段を取り付けたものを示す斜視図であり、図７は、装着ベース２に巻尺用ホルダの巻尺側に装着する係着部材たるプレート１４を取り付け、第２装着ベース７に落下防止用の安全ロープ６の端部に備えるナス環６１を接続したものであり、図８は、装着ベース２に巻尺用マグネットホルダの巻尺側に装着する磁気吸着可能部材たる金属プレート１５を設け、第２装着ベース７に落下防止用の安全ロープ６の端部に備えるナス環６１を接続したものを示している。
また、図４〜図８に示した装着ベース２に備える螺挿部２１は、図１〜図３に示した螺挿部２１の設置方向（雌ねじの配置方向）に対し、直交する方向に配置したものを示している。螺挿部２１の設置方向（雌ねじの配置方向）は特に限定するものではない。
【００３７】
本実施例中の符号１６は、測定用テープの出入り口、符号１７は、測定用テープの先端に設けられる係止片である。
【符号の説明】
【００３８】
１…ケース
２…装着ベース
２１…螺挿部
２２…固定用ねじ
３…ケース外壁面
４…ベルトクリップ
４１…クリップ体
５…リング部材
５１…リング体
６…安全ロープ
６１…ナス環
７…第２装着ベース
７１…螺挿部
８…ケース周面
９…固定用ねじ
１０…ハンドストラップ
１１…固定用ねじ
１２…リング
１３…固定用ねじ
１４…プレート
１５…金属プレート
１６…測定用テープの出入り口
１７…係止片
１８…プレート体
１９…ベルト
【図１】
2014153126.tif 000003
【図２】
2014153126.tif 000004
【図３】
2014153126.tif 000005
【図４】
2014153126.tif 000006
【図５】
2014153126.tif 000007
【図６】
2014153126.tif 000008
【図７】
2014153126.tif 000009
【図８】
2014153126.tif 000010
【図９】
2014153126.tif 000011